(57)【特許請求の範囲】
【請求項１】
口頚部（２）を起立する容器体（１）と、
上記口頚部内ないし口頚部上方へ固定され、かつ底壁（14）から吸込み弁（15）を介して吸上げパイプ（16）を容器体（１）内へ垂下する第1シリンダ（11）と、
該第1シリンダ内へ嵌合させた第１吐出弁（32）付きのピストン（33）からピストン棒（34）を起立し、該ピストン棒上端から上面開口の第２シリンダ（35）を起立し、第1シリンダ（11）に対して上方付勢された作動部材（31）と、
上記第2シリンダ（35）内に上方付勢させて下部を嵌合させると共に、該下部上端から肩部（55）を介して塗布棒（54）を起立する塗布体（51）と、
上記口頚部（２）外面へ、第1周壁（62）下部を嵌合させると共に、第1周壁（62）上面を閉塞する頂板（66）に透孔（68）を穿設し、かつ上記塗布棒（54）を、該透孔を通して頂板（66）上方へ突出させるように設け、又透孔下面周縁部と上記塗布体の肩部（55）とで第2吐出弁（70）を形成するキャップ（61）と、
上記キャップ第1周壁（62）の外面へ、天板（82）外周から垂下させた第2周壁（83）を着脱自在に嵌合させると共に、天板（82）から上記透孔（68）に通して垂下させた押え棒（84）で、塗布体（51）及び作動部材（31）をそれぞれの付勢に抗して押下げするカバーキャップ（81）と
で形成したことを特徴とする、定量式液体塗布容器。
【請求項２】
上記第1シリンダ底壁（14）中央部を開口して該開口周縁から垂下させた下端面開口筒部（17）の中間部に吸込み弁（15）を設けると共に、
ピストン棒（34）を、上端に内向きフランジ（41）を有する、下端面開口の脚筒（40）に形成しておき、
上記吸込み弁付き筒部（17）の上部内面へ、下端面開口かつ有頂としたガイド筒（18）の下部を、該下部に吸込み弁（15）と第1シリンダ内とを連通する通路（21）を設けて嵌合固着させると共に、
上記ガイド筒（18）の上部を、上記脚筒（40）内へ水密にかつ該脚筒の上下動自在に挿入させて、
該ガイド筒上面と脚筒の内向きフランジ（41）との間に作動部材上方付勢用第1コイルスプリング（42）を介装させ、
又塗布体（51）下部を、塗布棒（５４）の下端から上記肩部（55）を形成する頂板を側外方へ突出するとともに該頂板から筒壁を垂下してなる、下面開口の筒部（52）となし、
その頂板下面と脚筒（40）上端の内向きフランジ（41）との間へ、塗布体上方付勢用の第２コイルスプリング（56）を介装させ、
更に塗布体（51）の下部外面へ、第2シリンダ内面へのシール筒（53）を付設した、ことを特徴とする請求項１記載の定量液体塗布容器。
【請求項３】
第1シリンダ（11）の下部外面に外向きフランジ（13）を付設し、該フランジをキャップ周壁（62）の内面に設けた下向き段部（64a）と容器体口頚部（2）上端面との間に挟持させて第1シリンダ（11）を口頚部（２）上方へ起立させると共に、
作動部材（31）を囲成する筒体（93）を設けて該筒体の中間部と作動部材（31）とを、第２シリンダ（35）外面から放射状に突設した複数の連結板（92）…で連結し、
該筒体（93）下部を第1シリンダ（11）外面とキャップ周壁（62）との間へ第1シリンダ（11）に対して水密に嵌合させ、かつ筒体上部を、透孔（６８）と第１周壁との間のキャップ頂板（６６）外周部分下面から垂下させたシール筒（73）外面へシール筒（73）に対して水密に嵌合させ、
上記外向きフランジ（13）と筒体（93）下面との間に、作動部材上方付勢用の第1コイルスプリング（42）を設け、
又塗布体（51）下部を、塗布棒（５４）の下端から上記肩部（55）を形成する頂板を側外方へ突出するとともに該頂板から筒壁を垂下してなる、下面開口の筒部（52）となし、
その頂板下面と脚筒（40）上端に付設された内向きフランジ（41）との間に、塗布体上方付勢用の第2コイルスプリング（56）を介装させ、
更に塗布体（51）の下部外面へ、第2シリンダ内面へのシール筒（53）を付設した、ことを特徴とする、請求項１記載の定量式液体塗布容器。
【請求項４】
上記吸込み弁（15）は、合成樹脂材で形成したことを特徴とする、請求項２又は請求項３記載の定量式液体塗布容器。
【発明の詳細な説明】
【０００１】
【発明の利用分野】
本発明は、定量式液体塗布容器に関する。
【０００２】
【従来の技術】
例えば実開平５-35687号公報記載のように、スクイズ式の容器体の口頚部上に載置固定した有底筒形の計量室の底壁から上記容器体底部へ圧液管を垂下すると共に、上記計量室筒壁上端を閉塞する天板中央に注出口を開口し、かつ、計量室内に、スプリング力により上方付勢され、天板下面へ圧接された板状の弁体上面から上記注出口を通して塗布棒を突出してなる塗布体を内装し、かつ、上記弁体上面と注出口口縁下面とで吐出弁を形成したものが知られている。
【０００３】
【発明の解決しようとする課題】
上記従来容器は、塗布棒を清潔に保つために口頚部及び計量室外面を覆うカバーが装着してあり、該カバー除去操作と容器体圧搾による計量操作とを別々に行うものとされていたため、使い勝手の点でなお改良の余地があった。
【０００４】
本発明は、上記カバーの着脱操作による液体の自動計量を可能とするため、計量室と液溜め室とを設け、カバーキャップ着脱により容器体内液体が計量室内へ、又該計量室内液体が液溜め室内へ移動するよう設けて、該液溜め室内液体だけを塗布できるように構成した定量式液体塗布容器を提供するものであり、併せて上記塗布体及び作動部材上方付勢用のコイルスプリングを内容液と接触しないように組み込むことで、該接触を避けるべき内容液の保存に適した容器を提供することを目的とする。
【０００５】
【課題を解決するための手段】
第１の手段は、口頚部（２）を起立する容器体（１）と、
上記口頚部内ないし口頚部上方へ固定され、かつ底壁（14）から吸込み弁（15）を介して吸上げパイプ（16）を容器体（１）内へ垂下する第1シリンダ（11）と、
該第1シリンダ内へ嵌合させた第１吐出弁（32）付きのピストン（33）からピストン棒（34）を起立し、該ピストン棒上端から上面開口の第２シリンダ（35）を起立し、第1シリンダ（11）に対して上方付勢された作動部材（31）と、
上記第2シリンダ（35）内に上方付勢させて下部を嵌合させると共に、該下部上端から肩部（55）を介して塗布棒（54）を起立する塗布体（51）と、
上記口頚部（２）外面へ、第1周壁（62）下部を嵌合させると共に、第1周壁（62）上面を閉塞する頂板（66）に透孔（68）を穿設し、かつ上記塗布棒（54）を、該透孔を通して頂板（66）上方へ突出させるように設け、又透孔下面周縁部と上記塗布体の肩部（55）とで第2吐出弁（70）を形成するキャップ（61）と、
上記キャップ第1周壁（62）の外面へ、天板（82）外周から垂下させた第2周壁（83）を着脱自在に嵌合させると共に、天板（82）から上記透孔（68）に通して垂下させた押え棒（84）で、塗布体（51）及び作動部材（31）をそれぞれの付勢に抗して押下げするカバーキャップ（81）と
で形成している。
【０００６】
第２の手段は、上記第１の手段を具備し、かつ上記第1シリンダ底壁（14）中央部を開口して該開口周縁から垂下させた下端面開口筒部（17）の中間部に吸込み弁（15）を設けると共に、
ピストン棒（34）を、上端に内向きフランジ（41）を有する、下端面開口の脚筒（40）に形成しておき、
上記吸込み弁付き筒部（17）の上部内面へ、下端面開口かつ有頂としたガイド筒（18）の下部を、該下部に吸込み弁（15）と第1シリンダ内とを連通する通路（21）を設けて嵌合固着させると共に、
上記ガイド筒（18）の上部を、上記脚筒（40）内へ水密にかつ該脚筒の上下動自在に挿入させて、
該ガイド筒上面と脚筒の内向きフランジ（41）との間に作動部材上方付勢用第1コイルスプリング（42）を介装させ、
又塗布体（51）下部を、塗布棒（５４）の下端から上記肩部（55）を形成する頂板を側外方へ突出するとともに該頂板から筒壁を垂下してなる、下面開口の筒部（52）となし、
その頂板下面と脚筒（40）上端の内向きフランジ（41）との間へ、塗布体上方付勢用の第２コイルスプリング（56）を介装させ、
更に塗布体（51）の下部外面へ、第2シリンダ内面へのシール筒（53）を付設している。
【０００７】
第３の手段は、上記第１の手段を具備し、かつ第1シリンダ（11）の下部外面に外向きフランジ（13）を付設し、該フランジをキャップ周壁（62）の内面に設けた下向き段部（64a）と容器体口頚部（2）上端面との間に挟持させて第1シリンダ（11）を口頚部（２）上方へ起立させると共に、作動部材（31）を囲成する筒体（93）を設けて該筒体の中間部と作動部材（31）とを、第２シリンダ（35）外面から放射状に突設した複数の連結板（92）…で連結し、
該筒体（93）下部を第1シリンダ（11）外面とキャップ周壁（62）との間へ第1シリンダ（11）に対して水密に嵌合させ、かつ筒体上部を、透孔（６８）と第１周壁との間のキャップ頂板（６６）外周部分下面から垂下させたシール筒（73）外面へシール筒（73）に対して水密に嵌合させ、
上記外向きフランジ（13）と筒体（93）下面との間に、作動部材上方付勢用の第1コイルスプリング（42）を設け、
又塗布体（51）下部を、塗布棒（５４）の下端から上記肩部（55）を形成する頂板を側外方へ突出するとともに該頂板から筒壁を垂下してなる、下面開口の筒部（52）となし、
その頂板下面と脚筒（40）上端に付設された内向きフランジ（41）との間に、塗布体上方付勢用の第2コイルスプリング（56）を介装させ、
更に塗布体（51）の下部外面へ、第2シリンダ内面へのシール筒（53）を付設している。
【０００８】
第4の手段は、上記第２の手段又は第3の手段を有し、かつ上記吸込み弁15は、合成樹脂材で形成した。
【０００９】
【発明の実施の形態】
図１乃至図3は、本発明の第1実施形態を示している。
【００１０】
１は、容器体であり、胴部から口頚部２を起立している。
【００１１】
11は、上記口頚部２内へ液密に嵌合された第1シリンダである。該第1シリンダは、周壁12上部に付設した外向きフランジ13を上記口頚部２上端面上にパッキング及びシール用筒を介して載置すると共に、底壁14中心部を開口して、該開口から、筒壁中間部に玉弁による吸込み弁15を設けた弁付き筒部17兼パイプ嵌合筒を垂設して、該筒下部内から吸上げパイプ16を垂下している。玉弁15ａは、少なくとも内容液よりも比重の重い合成樹脂材で形成している。
【００１２】
上記弁付き筒部17の上部には、下端面開口でかつ上面閉塞のガイド筒18下部を嵌合固着させて第1シリンダ11内上方へ起立させている。該筒部は第1シリンダ底壁14上面よりもやや上方筒部分に、上記吸込み弁15と第1シリンダ11内との間の通路21を開通する流出孔を有し、かつ筒上端部を上向き段部22を介して小棒状部23としている。
【００１３】
上記第1シリンダ11内からは作動部材31を起立している。該部材はピストン棒34     下端にピストン33を有し、かつ上端に第2シリンダ35を有する。
【００１４】
図示例にあってはピストン33を鍔状横板とし、かつ該ピストン内周から下端面開口の脚筒40形状としたピストン棒34を起立し、該ピストン棒上端から外向きフランジ46を介して上面開口の第2シリンダ35を起立させている。又ピストン棒上端から透孔41ａ付きの内向きフランジ41を突出させると共に、該フランジ内周から、上下両端面開口の短筒43を起立している。
【００１５】
上記ピストン33とピストン棒34との連結は、ピストンから嵌合筒38を起立して該嵌合筒内へピストン棒下端部を固着させて行っている。ピストン33は第1吐出弁32を有するが、該弁は上記嵌合筒38外面へ嵌着させた取付筒部44から下外方へ外向きフランジ状の弾性弁板を突出させ、該弁板でピストンに穿設した弁孔を閉塞させて形成している。又ピストン33の外周と内周とにはシリンダ内壁面とガイド筒18外周面へ水密に接するシール筒36a,36bを付設している。
【００１６】
上記作動部材31は、既述ガイド筒18上部の上向き段部22とピストン棒34上端の内向きフランジ41との間には第1コイルスプリング42を介装させて上方付勢させている。
【００１７】
上記第2シリンダ35内へは、塗布体51を上方付勢させて嵌合させている。該塗布体は、下半を有頂の筒部52とし、かつ該筒部下端から外向きフランジ状壁を突出して該フランジ状壁外周から弾性シール筒53を上外方へ突出して第2シリンダ35内壁面へ水密に圧接させている。又塗布体筒部52の頂部からは既述短筒43とほぼ同外径の小筒部57を垂下し、これら小筒部及び短筒43外面へ第2コイルスプリングを遊嵌させ、短筒43下端外周の内向きフランジ41状壁と筒部52の頂部下面との間に介装させて塗布体51を上方付勢させている。塗布体筒部52の頂部からは塗布棒54を起立している。該塗布棒は上向き段部を介して小外径部とし、該小外径部上端面を塗布面とする。小外径部下方の塗布棒部分外面へは、適当数の液体流出溝58…を穿設している。
【００１８】
61は、キャップであり、第1周壁62であるキャップ周壁の下部63を大外径とし、該大外径部上端から内向きフランジ64を介して起立させた周壁上面を閉塞する頂板66中心を開口させると共に、該開口周縁から案内筒67を起立して、該筒孔を透孔68に形成している。又、上記キャップ頂板66と案内筒67との間の角部を、図２に示す液体塗布操作時において、塗布体の肩部55外面との面接可能なテーパ面69とし、これら両面により第2吐出弁70を形成している。
【００１９】
上記第1周壁下部63は雌ねじ筒として容器体口頚部２外面へ螺合させ、上記内向きフランジ64下面の下向き段部64aと容器体口頚部２上端面との間で上記第1シリンダ11の外向きフランジ13を挟持させている。又、上記頂板66下面からは、上記第2シリンダ周壁45外径よりも大内径の第2シリンダ案内筒71を垂下すると共に、上記案内筒69の対向位置に、該筒を２つ割りする一対の通液用縦割溝72を縦設している。
【００２０】
81は、カバーキャップであり、該カバーキャップは、天板82周縁から垂下する第2周壁83の下部を上記第1周壁62の上部65外面へ螺合させると共に、天板82裏面中央部から、上記案内筒67内に液密に挿通させて、上記塗布棒54とほぼ同外径で下端開口筒形の押え棒84を垂下すると共に、該棒下端を、上記塗布棒54上面外縁に係止させて、上記塗布体51及び作動部材31をそれぞれ第1、第2コイルスプリング42,56の付勢力に抗して押下げしている。
【００２１】
尚、これら第1、第2コイルスプリングは金属で形成するものとし、又、両スプリング以外の本願容器の各構成部分は、それぞれ合成樹脂製とすると良い。
【００２２】
上記構成において、上記ピストン33下方の第1シリンダ11内空間は計量室Ａを形成しており、又、ピストン33上方の第1シリンダ及びキャップ内空間が液溜め室Bを形成している。
【００２３】
図１に示す容器の未使用状態において、カバーキャップ81を外すと、第1,第2コイルスプリング42、56の付勢力により第1シリンダ11に対して作動部材31が、又、該部材に対して塗布体51がそれぞれ上昇し、上記作動部材の上昇により吸込み弁15が開いて図２に示す如く容器体１内液体が通路21を通って計量室Ａ内へ入り、かつ、塗布体51の上昇によりその肩部55がキャップ頂板66の透孔68周縁へ圧接され、第2吐出弁70が閉じる。
【００２４】
次にカバーキャップ81をキャップ61へ再嵌合させると、押え棒84が塗布体51を介して作動部材31を押し下げ、該部材のピストン33が下降するので、第1吐出弁32が開き、図３に示す如く計量室Ａ内の一定液体が液溜め室Ｂ内へ移動する。
【００２５】
更にカバーキャップ81を外すと、再び容器体１内液体が通路21を通って計量室Ａ内へ吸込まれ、そして容器を逆様にして塗布棒54を目的面へ押し付けると、液溜め室Ｂ内液体を透孔68を介して目的面に塗布することができる。
【００２６】
更にカバーキャップ81を嵌合させると、再び図３の如く計量室Ａ内の液体が液溜め室Ｂ内へ移り、次回の塗布操作が可能となる。
【００２７】
図４及び図５は、本発明の第2の実施形態を示している。
【００２８】
本実施形態は、第1実施形態において第1シリンダ周壁12よりも内方に設けた第1コイルスプリング42を、第1シリンダ周壁12とキャップ周壁上部65との間に配置したものである。以下、第1実施形態と同じ構成については同一符号を付すことで説明を省略する。
【００２９】
本実施形態においては、上記第1シリンダ11は、容器体口頚部２上端面にパッキング及びシール用筒を介して載置する既述外向きフランジ13を第1シリンダ周壁12の下端部外面に付設することで、該周壁を口頚部２上方に起立させ、周壁12外面とキャップ周壁上部65内面との間に第1コイルスプリング収装用の間隙91を形成するように構成する。
【００３０】
又、上記キャップ頂板66の裏面からは、上記第1シリンダ周壁12とほぼ同径で同一軸線を共有するシール筒73を垂下している。
【００３１】
作動部材31は、ピストン33が有する円形横板部分の中心から第1シリンダ38上方へ嵌合筒38を起立すると共に、該嵌合筒外面下端部へ嵌合させた取付筒部44から既述第1吐出弁32の弁板を外方突出し、かつ、上記取付筒部44上端に下端部を突き当てて上記嵌合筒38外面へ嵌合させた筒形のピストン棒34の外面上端から既述第2シリンダ35を起立している。又、上記ピストン棒34の内面上端に付設した内向きフランジ41を、上記嵌合筒38上端面へ当接させている。
【００３２】
上記第2シリンダ周壁45の外面下部からは、複数の連結板92…が放射状に突出され、これら連結板の先端部を、上記第1シリンダ周壁12外径よりも大内径の筒体93の上下方向中間部へ一体的に連結すると共に、該筒体内面の下部及び上部を上記第1シリンダ周壁12の上端部及びシール筒73の下端部各外面へそれぞれ液密に嵌合させている。又、上記筒体93の下部と上記外向きフランジ13上面との間には筒体93を介して作動部材31を上方付勢する第2コイルスプリング5６を介装させている。
【００３３】
本実施形態の容器を使用するときには、第1実施形態の場合と同様に操作すれば良い。
【００３４】
【発明の効果】
本発明は、上記構成のものであり、請求項１の発明によれば、カバーキャップの天板82からキャップ頂板66の透孔68を通して垂下した押え棒84で、塗布体51と作動部材31とをそれぞれ上方付勢力に抗して押し下げたから、上記カバーキャップ81をキャップ61に着脱するだけで、計量室A内への液体吸引及び該計量室から液溜め室Bへの移送が可能となり、操作が著しく簡単となる。
【００３５】
請求項２の発明及び請求項３の発明によれば、第1コイルスプリング42は、脚筒40の内向きフランジ41と上記 脚筒40内へ液密に嵌合されたガイド筒18上面との間、或いは、第１シリンダ周壁12及びキャップのシール筒73外面へ筒壁上下両部をそれぞれ液密に嵌合させた筒体93と第1シリンダ11下部に付設した外向きフランジ13との間に介装させたから、又、第2コイルスプリング56は、第2シリンダ35内へ液密に嵌合させた塗布体51の筒部52内頂部と脚筒40上端の内向きフランジ41との間に介装させたから、上記コイルスプリングとして、合成樹脂製のものに比べて弾性疲労によるスプリング力の低下が少ない金属スプリングを採用しながら、金属との接触を避けるべき内容液の収納に適した容器を提供することができる。
【００３６】
請求項４の発明によれば、吸込み弁を合成樹脂材で形成したので、内容液と金属との接触をより確実に阻止することができる。
【図面の簡単な説明】
【図１】  本発明の第1の実施形態に係る容器の縦断面図である。
【図２】  図１容器のカバーキャップ除去状態の説明図である。
【図３】  図２からカバーキャップを再嵌合させた状態の説明図である。
【図４】  本発明の第2の実施形態に係る容器の縦断面図である。
【図５】  図５容器のカバーキャップ除去状態の説明図である。
【符号の説明】
A…計量室    B…液溜め室    １…容器体    ２…口頚部
11…第1シリンダ  12…周壁  13…外向きフランジ  14…底壁
15…吸込み弁  16…吸上げパイプ  17…弁付き筒部  18…ガイド筒
21…通路  22…上向き段部  23…小棒状部
31…作動部材  32…第1吐出弁  33…ピストン  34…ピストン棒
35…第2シリンダ  36a,36b…シール筒  38…嵌合筒  40…脚筒
41…内向きフランジ  42…第1コイルスプリング  43…短筒
44…取付筒部  45…第2シリンダ周壁  46…外向きフランジ
51…塗布体  52…筒部  53…シール筒  54…塗布棒  55…肩部
56…第2コイルスプリング  57…小筒部  58…液体流出溝
61…キャップ  62…第1周壁  63…第1周壁下部  64…内向きフランジ
64a…下向き段部  65…第1周壁上部  66…頂板  67…塗布棒案内筒
68…透孔  69…テーパ面  70…第2吐出弁  71…第2シリンダ案内筒
72…縦割溝  73…シール筒
81…カバーキャップ  82…天板  83…第2周壁  84…押え棒
91…間隙  92…連結板  93…筒体
【図１】
0003998969.tif 000002
【図２】
0003998969.tif 000003
【図３】
0003998969.tif 000004
【図４】
0003998969.tif 000005
【図５】
0003998969.tif 000006